(57)【特許請求の範囲】
【請求項１】
液体を貯蔵するタンクと、羽根車の回転によりタンクの液面上に生じる泡を吸引する泡吸引装置を備え、この泡吸引装置は、羽根車を内部に収容するケーシングを有し、ケーシングの羽根車に面した正面側に羽根車の中心部に向かって開口した入口を設け、この入口へ泡が導かれるよう入口に通じてタンクの液面上に開口した吸引口を下端に有した筒部をケーシングに設け、羽根車の遠心作用による遠心力を受けて入口より羽根車の外周側へ移行された泡が破壊されるよう衝突するケーシング内壁部分を羽根車外周に有し、ケーシング内壁部分への衝突で泡消滅による液体を空気とともにタンク内へ排出する排出口をケーシングの羽根車外周側に有したことを特徴とする泡消しのできる液体タンク。
【請求項２】
液体を貯蔵するタンクと、羽根車の回転によりタンクの液面上に生じる泡を吸引する泡吸引装置を備え、この泡吸引装置は、羽根車を内部に収容するケーシングを有し、ケーシングの羽根車に面した正面側に羽根車の中心部に向かって開口した入口を設け、この入口へ泡が導かれるよう入口に通じてタンクの液面上の異なった箇所で開口する複数の吸引口を設け、羽根車の遠心作用による遠心力を受けて入口より羽根車の外周側へ移行された泡が破壊されるよう衝突するケーシング内壁部分を羽根車外周に有し、ケーシング内壁部分への衝突で泡消滅による液体を空気とともにタンク内へ排出する排出口をケーシングの羽根車外周側に有したことを特徴とする泡消しのできる液体タンク。
【請求項３】
泡吸引装置の吸引口をタンクの液面上で移動させる請求項１又は請求項２に記載の泡消しのできる液体タンク。
【請求項４】
液体を貯蔵するタンクと、羽根車の回転によりタンクの液面上に生じる泡を吸引できるよう吸引口をタンクの液面上に開口させる泡吸引装置を備え、この泡吸引装置は、一つの縦軸から偏心した位置に吸引口を有した筒部材が前記縦軸の回りに回転可能に設置され、この筒部材の回転により吸引口が液面上で移動されると共に、泡消滅による液体を空気とともにタンク内へ排出する排出口を有したことを特徴とする泡消しのできる液体タンク。
【請求項５】
液体を貯蔵するタンクと、羽根車の回転によりタンクの液面上に生じる泡を吸引できるよう吸引口をタンクの液面上に開口させる泡吸引装置と、回転する軸部に半径方向へ延びるかき寄せ片を有して、かき寄せ片により液面上の泡を泡吸引装置の吸引口近傍へ移動させるかき寄せ装置を備え、泡吸引装置は、泡消滅による液体を空気とともにタンク内へ排出する排出口を有したことを特徴とする泡消しのできる液体タンク。
【請求項６】
内部に羽根車を収容したケーシングと、ケーシングの羽根車に面した正面側で羽根車の中心部に向けて開口する入口と、下端にタンクの液面上に生じる泡を吸引する吸引口を有し入口を介してケーシング内に通じる吸引通路部を形成する筒部と、羽根車の遠心作用による遠心力を受けて入口より羽根車の外周側へ移行された泡が破壊されるよう衝突する羽根車外周に有したケーシング内壁部分と、ケーシング内壁部分への衝突で泡消滅による液体を空気とともに排出するようケーシングの羽根車外周側を外に通じさせる排出口を有し、ケーシングの背後から羽根車を回転駆動する電動機を備えた泡消し用の泡吸引装置。
【発明の詳細な説明】
【０００１】
【発明の属する技術分野】
本発明は、貯蔵する液の液面上に生じる泡を良好に消すことができる液体タンクと、泡を吸引することにより泡を破壊し消滅させる泡消し用の泡吸引装置に関する。
【０００２】
【従来の技術】
例えば、研削等の機械加工を行う際に使用するクーラント液を回収し、貯蔵するタンクでは、クーラント液が発泡し易く、多量の泡がタンク内に溜まると、タンクの上部より泡がタンクを乗り越えてタンク外へ漏出てしまい、クーラント液を浪費するとともにタンク設置床面を汚染してしまうことがあった。
【０００３】
【発明が解決しようとする課題】
このような事態を防ぐため、発泡量を見込んでタンクをあらかじめ大きめに作ったり、定期的に消泡剤をクーラント液に添加し泡の発生を防止することも行われているが、前者では、タンクの設置スペースが大きくなり経済的でなく、後者では管理の手間がかかるしクーラント液の性能を低下させることから、いまだ満足のゆく対策となっていなかった。本発明は、発生する泡を良好に消すことができる液体タンクと、泡を吸引することにより泡を破壊して消滅させる泡消し用の泡吸引装置の実現をはかるものである。
【０００４】
【課題を解決するための手段】
かかる課題を達成するため液体タンクを次のように構成した。即ち、液体を貯蔵するタンクと、羽根車の回転によりタンクの液面上に生じる泡を吸引する泡吸引装置を備え、この泡吸引装置は、羽根車を内部に収容するケーシングを有し、ケーシングの羽根車に面した正面側に羽根車の中心部に向かって開口した入口を設け、この入口へ泡が導かれるよう入口に通じてタンクの液面上に開口した吸引口を下端に有した筒部をケーシングに設け、羽根車の遠心作用による遠心力を受けて入口より羽根車の外周側へ移行された泡が破壊されるよう衝突するケーシング内壁部分を羽根車外周に有し、ケーシング内壁部分への衝突で泡消滅による液体を空気とともにタンク内へ排出する排出口をケーシングの羽根車外周側に有するようにした。
【０００５】
この構成によると、タンクの液面上に発生する泡は、泡吸引装置の羽根車の回転により、筒部下端の吸引口より吸引されて入口へ導かれ、羽根車の外周側へ遠心力により移行され、羽根車外周側のケーシング内壁部分に衝突して泡の破壊、消滅が効果的に行われる。そして、この泡の消滅によって生じる液体は、空気とともに排出口から排出されてタンク内へ戻される。
【０００６】
【０００７】
また、泡消しのできる液体タンクを、液体を貯蔵するタンクと、羽根車の回転によりタンクの液面上に生じる泡を吸引する泡吸引装置を備え、この泡吸引装置は、羽根車を内部に収容するケーシングを有し、ケーシングの羽根車に面した正面側に羽根車の中心部に向かって開口した入口を設け、この入口へ泡が導かれるよう入口に通じてタンクの液面上の異なった箇所で開口する複数の吸引口を設け、羽根車の遠心作用による遠心力を受けて入口より羽根車の外周側へ移行された泡が破壊されるよう衝突するケーシング内壁部分を羽根車外周に有し、ケーシング内壁部分への衝突で泡消滅による液体を空気とともにタンク内へ排出する排出口をケーシングの羽根車外周側に有したものとした。
このものでは、タンクの液面上に発生する泡は、泡吸引装置の羽根車の回転により、筒部下端の吸引口より吸引されて入口へ導かれ、羽根車の外周側へ遠心力により移行され、羽根車外周側のケーシング内壁部分に衝突して泡の破壊、消滅が効果的に行われ、この泡の消滅によって生じる液体は、空気とともに排出口から排出されてタンク内へ戻される。そして、複数の吸引口から泡を吸引するので、広い範囲の液面上の泡が吸引される。
【０００８】
また、このとき、泡吸引装置の吸引口をタンクの液面上で移動させるようにしてもよい。このようにすると、泡の吸引が液面上の決まった箇所に留まらず、移動に応じ液面上の異なった箇所で行われるので、広い範囲の液面上の泡が吸引される。
【０００９】
また、泡消しのできる液体タンクを、液体を貯蔵するタンクと、羽根車の回転によりタンクの液面上に生じる泡を吸引できるよう吸引口をタンクの液面上に開口させる泡吸引装置を備え、この泡吸引装置は、一つの縦軸から偏心した位置に吸引口を有した筒部材が前記縦軸の回りに回転可能に設置され、この筒部材の回転により吸引口が液面上で移動されると共に、泡消滅による液体を空気とともにタンク内へ排出する排出口を有したものとした。
このものでは、タンクの液面上に発生する泡は、泡吸引装置へとその吸引口より吸引され、吸引装置の内部で羽根車等への衝突により破壊され消滅し、この泡の消滅によって生じる液体は、空気とともに排出口から排出されてタンク内へ戻される。そして、筒部材の回転により、吸引口が移動する軌跡に沿った広い範囲の泡が吸引される。
【００１０】
また、泡消しのできる液体タンクを、液体を貯蔵するタンクと、羽根車の回転によりタンクの液面上に生じる泡を吸引できるよう吸引口をタンクの液面上に開口させる泡吸引装置と、回転する軸部に半径方向へ延びるかき寄せ片を有して、かき寄せ片により液面上の泡を泡吸引装置の吸引口近傍へ移動させるかき寄せ装置を備え、泡吸引装置は、泡消滅による液体を空気とともにタンク内へ排出する排出口を有したものとした。
このものでは、タンクの液面上に発生する泡は、泡吸引装置へとその吸引口より吸引され、吸引装置の内部で羽根車等への衝突により破壊され消滅し、この泡の消滅によって生じる液体は、空気とともに排出口から排出されてタンク内へ戻される。そして、吸引口から隔てた箇所での泡がかき寄せ装置により吸引口近傍へ移動されて吸引される。
【００１１】
さらにまた泡消し用の泡吸引装置を、内部に羽根車を収容したケーシングと、ケーシングの羽根車に面した正面側で羽根車の中心部に向けて開口する入口と、下端にタンクの液面上に生じる泡を吸引する吸引口を有し入口を介してケーシング内に通じる吸引通路部を形成する筒部と、羽根車の遠心作用による遠心力を受けて入口より羽根車の外周側へ移行された泡が破壊されるよう衝突する羽根車外周に有したケーシング内壁部分と、ケーシング内壁部分への衝突で泡消滅による液体を空気とともに排出するようケーシングの羽根車外周側を外に通じさせる排出口を有し、ケーシングの背後から羽根車を回転駆動する電動機を備えたものとした。
【００１２】
そして、このものでは、電動機により羽根車が回転駆動されると、タンクの液面上に生じる泡は筒部下端の吸引口から吸引通路部、入口を経てケーシング内へ吸引され、羽根車により遠心力を受けて羽根車外周側へ移行されて、羽根車外周のケーシング内壁部分へ衝突する。このため泡は効果的に破壊され、消滅する。そして、泡の消滅で生じた液体は、空気とともに排出口から排出される。
【００１３】
【実施例】
以下本発明の実施例を図面により説明する。図１から図３において、１は、クーラント液を回収、貯蔵するタンクであり、図示しないが、クーラント液を流入させるための流入管と、クーラント液を流出させるための流出管が設置されている。２は、泡消し用の泡吸引装置である。泡吸引装置２は、ケーシング３の背後に電動機４を一体的に取り付け、また、ケーシング３の正面側に下端を吸引口５として吸引通路部を形成する筒部６を設けている。そして、これら電動機４の軸と筒部６を縦方向にして、タンク１上に掛け渡した上板７に取り付けられている。なお、このとき、吸引口５は、タンク１の液面８が変化しても常に液面８上にあるように、その位置が定められている。
【００１４】
図２、図３により、泡吸引装置２を詳細に説明する。ケーシング３は、内部に羽根車９を収容し、正面側が開口した本体部３Ａと、この正面開口を閉じる蓋体３Ｂを備えている。そして、本体部３Ａの背後には、電動機４が固定され、本体部３Ａを貫通した電動機４の出力軸４Ａには羽根車９が取り付けられている。９Ａは、羽根車９の円形のディスク部であり、ディスク部９Ａの正面側には６枚の羽根片９Ｂが半径方向へ延びるように取り付けられている。
【００１５】
蓋体３Ｂは、羽根車９の中心部に面した円形の入口１０と、この入口１０の周囲で、羽根車９外周側の、羽根車９と本体部３Ａとの空隙部に通じた４つの円弧状の排出口１１を有し、この排出口１１は、図１の設置状態で、タンク１内の液面８上に開口している。そして、前記筒部６は、入口１０へ吸入口５を通じさせるように、前記出力軸４Ａと同軸状に蓋体３Ｂに取り付けられている。なお、３Ｃは、蓋体３Ｂに設けた、上板７への取り付けの際に利用する取り付け部である。
【００１６】
次にこの実施例の作動を説明する。泡吸引装置２が、電動機４の回転により、駆動されると、羽根車９の遠心作用により、吸引口５から空気が吸引され、排出口１１から排出される。そして、液面８上に生じた泡１２は、吸引口５近傍に達すると、吸引口５から吸引される。この吸引された泡は、筒部６より入口１０をへてケーシング３内へ導かれ、羽根車９に衝突する。この衝突で泡の一部は破壊され消滅し、これにより生じるクーラント液の液滴は、残りの泡とともに、羽根車９での遠心作用により、遠心力を受け羽根車９の外周側へと移行され、本体部３Ａの内周壁に衝突する。この衝突で、残りの泡は実質的にほぼ全部が破壊され消滅する。
【００１７】
そして、泡の消滅で生じたクーラント液の液滴は、空気とともに排出口１１から排出されてタンク１内へ戻される。このようにして液面８上の泡１２は、泡吸引装置２で吸引され、破壊、消滅されるので、泡１２の蓄積が増すことが抑えられ、液面８上の泡１２が増えてタンク１を乗り越え、外に出てしまうような事態は生じない。また、泡吸引装置２からは、泡の消滅により生じるクーラント液の液滴が排出口１１よりタンク１内へ戻されるので、クーラント液が減少するような不要な浪費は抑えられる。そして、上記のように吸引された泡はケーシング３内で、羽根車９の遠心作用でその外周側へ移行され、本体部３Ａ内周壁へ衝突するので、泡の破壊、消滅が非常に効率的に行われ、吸引される泡は実質的にほぼ全部が消滅する。また、泡吸引装置２では、電動機４をケーシング３の背後に設けるので、出力軸４Ａはケーシング３正面側の入口１０へ至る吸入経路を通さなくても羽根車３と連結できて、吸入抵抗の減少に寄与できる。
【００１８】
そしてまた、上記のように泡吸引装置２により消滅されて発生する泡１２の多くが消えるので、タンク１においては、クーラント液中の研削粉、切削粉等の分離がしやすくなる副次的な効果が生じる。即ち、従来よりクーラント液中に混入した研削粉、切削粉をマグネットにより吸着分離することが行われているが、この場合、液中の研削粉等を吸着分離することは容易であるが、泡中の研削粉等の吸着分離は困難であるため、従来では分離効率が悪かったが、この実施例の場合は、泡の多くが消されるので、前記研削粉等が液中より容易に分離できるようになり、タンク１での分離効率が良くなるのである。なお、泡吸引装置２での羽根車９の羽根片９Ｂの枚数は６枚に限るものでなく、適宜な枚数とすることができ、また、羽根片９Ｂは半径方向へ延びた、いわゆる径向き羽根の形態をとっているが、これを、羽根片の外周側を径向き羽根の場合よりも回転方向後ろ側へ移行させた後ろ向き羽根や、羽根片の外周側を径向き羽根の場合よりも回転方向前側へ移行させた前向き羽根とすることもできる。
【００１９】
図４は他の実施例を示し（なお、この図４は、タンク１を、図１では長手方向の断面図で示したのに対し長手方向と直交する方向での断面図で示している。）、以下、図１から図３の実施例との相違点を説明する。このものでは、泡吸引装置２の筒部６に二つの分岐部６Ａが設けられ、各分岐部６Ａに吸引口５が設けてある。これによって、それぞれの吸引口５から液面８上の泡１２を吸引できる。このため、液面８の広い範囲で泡１２が発生する場合、一つの吸引口で吸引するときには、吸引口から隔てた箇所では泡が吸引されず残っているのに吸引口の近傍では泡が無くなって泡の吸引が途切れるといった事態が生じて泡吸引の効率が低下しがちであるが、これに比較すると、広い範囲で泡１２を吸引するので、よりむらなく均一的に泡が吸引され泡吸引の効率が良くなる。なお、この場合、分岐部６Ａを二つより多くして、吸引口５を二つより多くしてもよい。
【００２０】
図５はさらに他の実施例を示し、以下、図１から図３の実施例との相違点を説明する。泡吸引装置２の筒部６は、ケーシング３の入口１０と同軸状の内筒部材６Ｃと、この内筒部材６Ｃに回転可能に嵌合した外筒部材６Ｄを有している。そして外筒部材６Ｄは、内筒部材６Ｃの軸線と偏心した位置で下向きの吸引口５を有している。内筒部材６Ｃは下端が閉じており、吸引口５で吸引された泡が入口１０を経てケーシング３内へと導かれるように、外筒部材６Ｄ内と内筒部材６Ｃ内を通じさせる通孔６Ｅを有している。１３は外筒部材６Ｄに設けたプーリで、タンク１に設置した減速機付きの電動機１４の出力軸に設けたプーリ１５との間にベルト１６が掛け渡してあり、この電動機１４により外筒部材６Ｄはゆっくりと前記内筒部材６Ｃの軸線を中心としで回転するようになっている。
【００２１】
このものでは、泡吸引装置２が電動機４で駆動されるとき、電動機１４により外筒部材６Ｄが回転される。このため、吸引口５は、円の軌跡を描いて液面８上を移動するので、広い範囲から泡１２を吸引できて泡１２の吸引が図４に示した場合よりも一層むらなく均一的に効率的に行われ、発生する泡１２の大部分を吸引して消滅させることができる。なお、この場合、外筒部材６Ｄの回転には電動機１４に限らず例えばエアモータ等他の適宜な駆動源を利用でき、また、その回転速度は、泡１２の発生状態やタンク１の大きさに応じて適宜選定できるようにしてもよく、さらに、外筒部材６Ｄのための回転伝達機構はプーリ、ベルトによる巻き掛け伝動方式以外に、歯車を利用する等適宜な方式を利用できる。さらに、図６に示すように、外筒部材６Ｄは複数の吸引口５を有することができ、また、前記内筒部材６Ｃの軸線と吸引口５との偏心量を、図７、図８に記載するように可変とすることもできる。
【００２２】
即ち、図６のものでは、外筒部材６Ｄが半径方向の反対側に延びる２つの筒部６Ｆ、６Ｇを有し、各筒部６Ｆ、６Ｇの下に向いた先端には吸引口５が設けられている。そして、筒部６Ｇの方が６Ｆより半径方向への突出量が大きくされており、両吸引口５の内筒部材６Ｃ軸線からの偏心量が異なっている。このようにしたので図６のものでは、外筒部材６Ｄの回転に応じ各吸引口５は液面上で異なった軌跡を描いて移動する。このため図５の場合よりもより一層広い範囲から泡を吸引できて、よりむらなく均一的な泡の吸引が行われ泡の吸引効率が高められる。
【００２３】
また、図７、図８のものの、図５のものとの相違点について以下説明すると、外筒部材６Ｄは、内筒部材６Ｃに嵌合する嵌合部６０と、吸引口５を有した口部６１に分割され、この両者は蛇腹状の伸縮筒６２で接続されている。そして、口部６１に設けたフランジ片６３に固着した、先端側にねじ部を有する２本の案内棒６４が水平に延びて、嵌合部６０の径方向に隔てて設けた突起部６５の案内孔６６に挿通されている。そして、各突起部６５を挟んで案内棒６４のねじ部には二つのロックナット６７が螺着されている。
【００２４】
そして、内筒部材６Ｃの軸線と吸引口５との偏心量を変えるときには、各ロックナット６７を緩め、口部６１を図で左側へ、又は右側へ移動させるのである。即ち、図の状態から偏心量を大きくするときには、ロックナット６７を緩めたのち口部６１を左側へ移動させる。これにより伸縮筒６２が延びて前記吸引口５の偏心量は大きくなり、求める偏心量に達したなら再び各ロックナット６７を締め込んでこの偏心量の状態に固定するのである。また、偏心量を小さくするときには、ロックナット６７を緩めたのち口部６１を右側へ移動させると、伸縮筒６２が縮んで前記吸引口５の偏心量は小さくなり、求める偏心量に達したなら再び各ロックナット６７を締め込んでこの偏心量の状態に固定するのである。このように、内筒部材６Ｃの軸線と吸引口５との偏心量が可変であるので、タンク１の大きさに合わせて、都合の良い偏心量の状態に調整できる。
【００２５】
図９、図１０はさらに別の実施例を示し、以下、図１から図３の実施例との相違点を説明する。２０はかき寄せ装置で、減速機付きの電動機２１により回転される縦方向の軸部２２がタンク１内へ延びている。この軸部２２の先端には、４枚のかき寄せ片２３を、液面８の上で周方向等間隔に半径方向へ延ばしたロータ２４が取り付けられている。このロータ２４は、回転に伴うかき寄せ片２３先端の軌跡が泡吸引装置２の吸引口５の近くに来るよう配置され、前記電動機２１によりゆっくり回転されるようになっている。
このため、このものでは、ロータ２４の回転により吸引口５から隔てた箇所の泡がかき寄せ片２３でかき寄せられて吸引口５の近傍へ移動する。これにより吸引口５から隔てた箇所で生じた泡でも良好に泡吸引装置２で吸引でき、液面８の広い範囲で泡が生じるときでも、例えば、吸引口５から隔てた箇所では泡が吸引されずに存在している一方で吸引口５近傍では泡が吸引されて存在しなくなり泡吸引が途切れるといった事態の発生を抑えて泡吸引をむらなく均一的に行って泡吸引の効率を良好にできる。なおこのとき、図４に示すように吸引口を複数設けるものとしても良い。そして、軸部２２の回転には、電動機に限らず例えばエアモータ等適宜な駆動源を利用でき、また、図１１、図１２に示すように泡吸引装置２から排出される空気により、軸部２２を回転するようにしてもよい。
【００２６】
即ち、図１１、図１２のものにつき、図９、図１０のものとの相違点について以下、説明すると、泡吸引装置２のケーシング３は、羽根車９外周で、周知の遠心ブロアに見られるように、軸心からの半径方向寸法が回転方向へ漸次大きくなった渦形室３Ｄを形成している。そして、ケーシング３の本体部３Ａにこの渦形室３Ｄに通じた一つの出口２５を設けており、先端に一つの排出口１１を有した斜め下向きの排出筒２６が、出口２５から排出される空気や泡の消滅によるクーラント液の液滴を排出口１１からタンク１内へ導くようケーシング３に取り付けられている（これにより明らかなように、ケーシング３の蓋体３Ｂは排出口を有していない。）。そして、かき寄せ装置２０の軸部２２には、排出口１１から排出される空気を受けて軸部２２を回転させるための複数の受け羽根２７が周方向で等間隔に、半径方向へ延びるよう取り付けてある。
【００２７】
このようにしたので、ケーシング３に入る泡は前記図１から図３に示したものと同様に羽根車９による遠心作用で渦室３Ｄ内壁へ衝突して良好に破壊、消滅され、これによって生じたクーラント液の液滴は、空気とともに共通の出口２５を経て排出口１１からタンク１内へ排出される。かき寄せ装置２０の軸部２２は、泡吸引装置２の排出口１１から排出される空気を受け羽根２７で受けて回転し、かき寄せ片２３による泡の吸引口５近傍への移動が行われる。そしてこのものでは、泡吸引装置２からの排出空気を利用するので、軸部２２の回転には、電力等の専用の動力源を別に必要とせず、経済的となる。
【００２８】
【発明の効果】
このように請求項１の記載に係る液体タンクでは、タンクの液面上に発生する泡は、泡吸引装置の羽根車の回転により、筒部下端の吸引口より吸引されて入口へ導かれ、羽根車の外周側へ遠心力により移行されてケーシング内壁部分に衝突するので、吸引した泡の破壊、消滅をきわめて良好に行うことができ、泡消しの効率が良く、タンク内に泡が多く溜まってタンクを乗り越えてタンク外へ出てしまうような事態を抑えることができる。そして、泡吸引装置の内部での泡の消滅によって生じる液体は、空気とともに排出口から排出されてタンク内へ戻されるので、タンクに収容される液体が減少するような、該液体の不要な浪費を抑えることができる。
【００２９】
【００３０】
また、請求項２の記載に係る液体タンクでは、請求項１に記載の発明の効果に加え、複数の吸引口から泡を吸引するので、広い範囲の液面上の泡が吸引でき、泡の吸引がむらなくできて吸引効率を良くすることができる。
【００３１】
また、請求項３の記載に係る液体タンクでは、請求項１又は請求項２に記載の発明の効果に加え、吸引口の移動により、広い範囲の液面上の泡が吸引され、泡の吸引がむらなくできて吸引効率を良くすることができる。
【００３２】
また、請求項４の記載に係る液体タンクでは、タンクの液面上に発生する泡は、泡吸引装置へとその吸引口より吸引され、泡吸引装置の内部で羽根車等への衝突により破壊され消滅するので、タンク内に泡が多く溜まってタンクを乗り越えてタンク外へ出てしまうような事態を抑えることができる。そして、泡吸引装置の内部での泡の消滅によって生じる液体は、空気とともに排出口から排出されてタンク内へ戻されるので、タンクに収容される液体が減少するような、該液体の不要な浪費を抑えることができる。さらに、筒部材の回転により、吸引口が移動する軌跡に沿った広い範囲の液面上の泡が吸引され、泡の吸引がむらなくできて吸引効率を良くすることができる。
【００３３】
また、請求項５の記載に係る液体タンクでは、タンクの液面上に発生する泡は、泡吸引装置へとその吸引口より吸引され、泡吸引装置の内部で羽根車等への衝突により破壊され消滅するので、タンク内に泡が多く溜まってタンクを乗り越えてタンク外へ出てしまうような事態を抑えることができる。そして、泡吸引装置の内部での泡の消滅によって生じる液体は、空気とともに排出口から排出されてタンク内へ戻されるので、タンクに収容される液体が減少するような、該液体の不要な浪費を抑えることができる。さらに、吸引口から隔てた箇所での泡がかき寄せ装置により吸引口近傍へ移動されて吸引されるので、泡の吸引がむらなくできて吸引効率を良くすることができる。
【００３４】
そしてまた、請求項６の記載に係る泡吸引装置では、電動機により羽根車が回転駆動されると、タンクの液面上に生じる泡は筒部下端の吸引口から吸引通路部、入口を経てケーシング内へ吸引され、羽根車により遠心力を受けて羽根車外周側へ移行されて、羽根車外周のケーシング内壁部分へ衝突するので、吸引された泡が良好に破壊、消滅されて泡消し効率の良い泡吸引装置が得られる。そして、電動機はケーシングの背後から羽根車を駆動するので、ケーシング正面側の入口に至る吸入経路を通して電動機出力軸と羽根車との間を連結させなくてもよくなり、吸入抵抗の減少に寄与できる。
【図面の簡単な説明】
【図１】本発明の１実施例を示す断面図。
【図２】図１の泡吸引装置の要部を示す部分拡大断面図。
【図３】図２の線Ａ−Ａに沿った断面図。
【図４】本発明の別の実施例を示す断面図。
【図５】本発明のさらに別の実施例の要部を示す部分断面図。
【図６】本発明のさらに別の実施例の要部を示す部分断面図。
【図７】本発明のさらに別の実施例の要部を示した図。
【図８】図７の線Ｂ−Ｂに沿った断面図。
【図９】本発明のさらに別の実施例を示す断面図。
【図１０】図９の線Ｃ−Ｃに沿った断面図。
【図１１】本発明のさらに別の実施例を示す断面図。
【図１２】図１１の線Ｄ−Ｄに沿った断面図。
【符号の説明】
１  タンク
２  泡吸引装置
３  ケーシング
４  電動機
５  吸引口
８  液面
９  羽根車
１０  入口
１１  排出口
１２  泡
２０  かき寄せ装置
２３  かき寄せ片
【図１】
0003604873.tif 000002
【図２】
0003604873.tif 000003
【図３】
0003604873.tif 000004
【図４】
0003604873.tif 000005
【図５】
0003604873.tif 000006
【図６】
0003604873.tif 000007
【図７】
0003604873.tif 000008
【図８】
0003604873.tif 000009
【図９】
0003604873.tif 000010
【図１０】
0003604873.tif 000011
【図１１】
0003604873.tif 000012
【図１２】
0003604873.tif 000013